(57)【要約】【課題】  エクステリア及びインテリアを自由に組み合わせてカタログ表示可能であるとともに、インテリアを自由な位置に移動可能なカタログ表示装置、カタログ表示プログラム、カタログ表示方法及びカタログ表示システムを提供する。【解決手段】  入力部で受け付けたユーザの入力内容から、表示部上における入力座標と入力動作の内容とを判断する入力内容判断部と、入力内容判断部で判断された入力座標に表示されたカタログ表示データを、ユーザによって選択された選択対象物と判断するとともに、選択対象物の選択に対応する表示部への表示内容を決定する選択対象物判断部と、入力内容判断部で判断された入力動作の内容と選択対象物判断部で決定された表示内容とに従って、表示部に表示されるカタログ表示データの内容を変更する表示データ変更部とを備える。【選択図】  図２
2014191500.tif 000002
【特許請求の範囲】
【請求項１】
インテリア商品に係るカタログ表示データとカタログ表示データを表示させるカタログ表示プログラムとを格納するダウンロードサーバにネットワークを介して接続され、カタログ表示データを表示可能なカタログ表示装置であって、
ダウンロードサーバから取得したカタログ表示データ及びカタログ表示プログラムを格納するカタログ格納部と、
カタログ表示データを表示可能な表示部と、
ユーザからの入力を受け付ける入力部と、
入力部で受け付けたユーザの入力内容から、表示部上における入力座標と入力動作の内容とを判断する入力内容判断部と、
入力内容判断部で判断された入力座標に表示されたカタログ表示データを、ユーザによって選択された選択対象物と判断するとともに、選択対象物の選択に対応する表示部への表示内容を決定する選択対象物判断部と、
入力内容判断部で判断された入力動作の内容と選択対象物判断部で決定された表示内容とに従って、表示部に表示されるカタログ表示データの内容を変更する表示データ変更部と
を備えることを特徴とするカタログ表示装置。
【請求項２】
表示部に表示されている複数のカタログ表示データのそれぞれの表示部上における座標を格納する座標格納部をさらに備え、
表示データ変更部は、
座標格納部に格納されている複数のカタログ表示データのそれぞれの座標と入力動作判断部で判断された入力動作の内容とから、表示部に表示されるカタログ表示データの内容の変更可否を判断する表示可否判断部と、
表示可否判断部でカタログ表示データの内容の変更可能と判断されたときに、表示部に表示されるカタログ表示データの内容を変更する表示変更部と
を有することを特徴とする請求項１に記載のカタログ表示装置。
【請求項３】
商品に係るカタログ表示データ及びカタログ表示データを表示させるカタログ表示プログラムを格納するダウンロードサーバと、請求項１又は２のカタログ表示装置とを備えることを特徴とするカタログ表示システム。
【請求項４】
インテリア商品に係るカタログ表示データ及びカタログ表示データを表示させるカタログ表示プログラムとを格納するダウンロードサーバにネットワークを介して接続されるカタログ表示装置に、カタログ表示データを表示可能なカタログ表示方法であって、
ダウンロードサーバから取得したカタログ表示データ及びカタログ表示プログラムを格納するステップと、
カタログ表示データを表示するステップと、
ユーザからの入力を受け付けるステップと、
入力を受け付けるステップで受け付けたユーザの入力内容から、入力座標と入力動作の内容とを判断するステップと、
判断された入力座標に表示されたカタログ表示データを、ユーザによって選択された選択対象物と判断するとともに、選択対象物の選択に対応する表示部への表示内容を決定するステップと、
判断された入力動作の内容と決定された表示内容とに従って、表示されるカタログ表示データの内容を変更する表示データ変更部と
を備えることを特徴とするカタログ表示方法。
【請求項５】
ダウンロードサーバからネットワークを介してコンピュータにダウンロードされ、インテリア商品に係るカタログ表示データを表示可能なカタログ表示プログラムであって、
コンピュータを、
カタログ表示データ及びカタログ表示プログラムを格納するカタログ格納部、
カタログ表示データを表示可能な表示部、
ユーザからの入力を受け付ける入力部、
入力部で受け付けたユーザの入力内容から、表示部上における入力座標と入力動作の内容とを判断する入力内容判断部、
入力内容判断部で判断された入力座標に表示されたカタログ表示データを、ユーザによって選択された選択対象物と判断するとともに、選択対象物の選択に対応する表示部への表示内容を決定する選択対象物判断部、
入力内容判断部で判断された入力動作の内容と、選択対象物判断部で決定された表示内容とに従って、表示部に表示されるカタログ表示データの内容を変更する表示データ変更部
として機能させることを特徴とするカタログ表示プログラム。
【発明の詳細な説明】
【技術分野】
【０００１】
本発明は、カタログ表示装置、カタログ表示システム、カタログ表示プログラム及びカタログ表示方法に関し、特に、屋内で家具の配置位置を自在に変更可能なカタログ表示装置、カタログ表示システム、カタログ表示プログラム及びカタログ表示方法に関する。
【背景技術】
【０００２】
従来、インテリア等の商品は、デパート或いは家具専門店等の店頭で販売されることが多かった。そのため、顧客は、商品の大きさや色等の確認を現実の住宅の間取り空間との関係で把握することが難しかった。結果として、顧客は、商品購入後に現実の間取り空間と間で色のアンバランス等を感じることがあった。そこで、ネットワークを利用して、室内空間にインテリア等の商品を表示する取引支援システムが知られている（例えば、特許文献１）。特許文献１における取引支援システムでは、予めユーザの好みが指定された上で、指定された好みに合わせたエクステリア及びインテリアを表示している。
【先行技術文献】
【特許文献】
【０００３】
【特許文献１】特開２００５−１９００００号公報
【発明の概要】
【発明が解決しようとする課題】
【０００４】
しかしながら、特許文献１における取引支援システムでは、表示されたインテリアを、エクステリアに対して画面上で自由に移動させることはできなかった。そのため、実際に、インテリアがエクステリアに対して調和しているか否かを判断するためには、現地に赴いた上で確認するしか方法がなかった。インテリアがエクステリアに対して調和しているか否かについても、画面上で確認できるのが好ましい。
【０００５】
本発明は、斯かる事情に鑑み、エクステリア及びインテリアを自由に組み合わせてカタログ表示可能であるとともに、インテリアを自由な位置に移動可能なカタログ表示装置、カタログ表示プログラム、カタログ表示方法及びカタログ表示システムを提供することを課題とする。
【課題を解決するための手段】
【０００６】
本発明に係るカタログ表示装置は、インテリア商品に係るカタログ表示データとカタログ表示データを表示させるカタログ表示プログラムとを格納するダウンロードサーバにネットワークを介して接続され、カタログ表示データを表示可能なカタログ表示装置であって、ダウンロードサーバから取得したカタログ表示データ及びカタログ表示プログラムを格納するカタログ格納部と、カタログ表示データを表示可能な表示部と、ユーザからの入力を受け付ける入力部と、入力部で受け付けたユーザの入力内容から、表示部上における入力座標と入力動作の内容とを判断する入力内容判断部と、入力内容判断部で判断された入力座標に表示されたカタログ表示データを、ユーザによって選択された選択対象物と判断するとともに、選択対象物の選択に対応する表示部への表示内容を決定する選択対象物判断部と、入力内容判断部で判断された入力動作の内容と選択対象物判断部で決定された表示内容とに従って、表示部に表示されるカタログ表示データの内容を変更する表示データ変更部とを備えることを特徴とする。
【０００７】
本発明に係るカタログ表示方法は、インテリア商品に係るカタログ表示データ及びカタログ表示データを表示させるカタログ表示プログラムとを格納するダウンロードサーバにネットワークを介して接続されるカタログ表示装置に、カタログ表示データを表示可能なカタログ表示方法であって、ダウンロードサーバから取得したカタログ表示データ及びカタログ表示プログラムを格納するステップと、カタログ表示データを表示するステップと、ユーザからの入力を受け付けるステップと、入力を受け付けるステップで受け付けたユーザの入力内容から、入力座標と入力動作の内容とを判断するステップと、判断された入力座標に表示されたカタログ表示データを、ユーザによって選択された選択対象物と判断するとともに、選択対象物の選択に対応する表示部への表示内容を決定するステップと、判断された入力動作の内容と決定された表示内容とに従って、表示されるカタログ表示データの内容を変更する表示データ変更部とを備えることを特徴とする。
【０００８】
本発明に係るカタログ表示プログラムは、ダウンロードサーバからネットワークを介してコンピュータにダウンロードされ、インテリア商品に係るカタログ表示データを表示可能なカタログ表示プログラムであって、コンピュータを、カタログ表示データ及びカタログ表示プログラムを格納するカタログ格納部、カタログ表示データを表示可能な表示部、ユーザからの入力を受け付ける入力部、入力部で受け付けたユーザの入力内容から、表示部上における入力座標と入力動作の内容とを判断する入力内容判断部、入力内容判断部で判断された入力座標に表示されたカタログ表示データを、ユーザによって選択された選択対象物と判断するとともに、選択対象物の選択に対応する表示部への表示内容を決定する選択対象物判断部、入力内容判断部で判断された入力動作の内容と、選択対象物判断部で決定された表示内容とに従って、表示部に表示されるカタログ表示データの内容を変更する表示データ変更部として機能させる。
【０００９】
また、本発明に係るカタログ表示システムは、商品に係るカタログ表示データ及びカタログ表示データを表示させるカタログ表示プログラムを格納するダウンロードサーバと、請求項１又は２のカタログ表示装置とを備えることを特徴とする。
【００１０】
かかる構成によれば、入力内容判断部で判断された入力座標及び入力動作に応じて、選択対象物判断部は、表示部に表示する表示内容を決定する。表示データ変更部は、決定された表示内容に従って、表示部に表示されるカタログ表示データの内容を変更するので、エクステリア及びインテリアを自由に組み合わせてカタログ表示可能であるとともに、インテリアを自由な位置に移動することができる。
【００１１】
また、上記カタログ表示装置において、表示部に表示されている複数のカタログ表示データのそれぞれの表示部上における座標を格納する座標格納部をさらに備え、表示データ変更部は、座標格納部に格納されている複数のカタログ表示データのそれぞれの座標と入力動作判断部で判断された入力動作の内容とから、表示部に表示されるカタログ表示データの内容の変更可否を判断する表示可否判断部と、表示可否判断部でカタログ表示データの内容の変更可能と判断されたときに、表示部に表示されるカタログ表示データの内容を変更する表示変更部とを有してもよい。
【００１２】
かかる構成によれば、表示部に表示されるカタログ表示データの内容の変更に係るカタログ表示データが、既に表示されている選択対象物に対して表示不能な位置には表示されない。これにより、読み出されたカタログ表示データが他の対象物に対して不自然な位置に表示されることを防止でき、ひいてはエクステリア及びインテリアの配置の組み合わせを適切にすることができる。
【発明の効果】
【００１３】
以上の如く、本発明に係るカタログ表示装置、カタログ表示プログラム、カタログ表示方法及びカタログ表示システムによれば、エクステリア及びインテリアを自由に組み合わせてカタログ表示可能であるとともに、インテリアを自由な位置に配置可能であるというすぐれた効果を奏する。
【図面の簡単な説明】
【００１４】
【図１】本発明の一実施形態に係るカタログ表示システムのシステム構成図を示す。
【図２】同実施形態に係るダウンロードサーバ、カタログ表示装置及びウェブサーバのブロック図を示す。
【図３】同実施形態に係るデータ内容を示し、図３（ａ）は、ボタンデータのデータ内容を示し、図３（ｂ）は、建物データのデータ内容を示す。
【図４】同実施形態に係るデータ内容を示し、図４（ａ）は、カーテン素材のデータ内容を示し、図４（ｂ）は、カーテンデータのデータ内容を示し、図４（ｃ）は、表示座標格納部のデータ内容を示す。
【図５】同実施形態に係るカタログ表示方法におけるフローチャートを示す。
【図６】同実施形態に係るカタログ表示装置における一画面図を示す。
【図７】同実施形態に係るカタログ表示装置における一画面図を示す。
【図８】同実施形態に係るカタログ表示装置における一画面図を示す。
【図９】同実施形態に係るカタログ表示装置における一画面図を示す。
【図１０】同実施形態に係るカタログ表示装置における一画面図を示す。
【図１１】同実施形態に係るカタログ表示装置における一画面図を示す。
【図１２】同実施形態に係るカタログ表示装置における一画面図を示す。
【発明を実施するための形態】
【００１５】
以下、本発明に係るカタログ表示装置、カタログ表示プログラム、カタログ表示方法及びカタログ表示システムにおける一実施形態について、図１〜図１２を参照して説明する。
【００１６】
図１に示すように、本実施形態に係るカタログ表示システム１は、カタログを提供又は商品を販売する業者側に設けられる業者サーバ２と、工務店・ハウスメーカ、業者コーディネータ、外部インテリアコーディネータ及び一般ユーザがそれぞれ保持するカタログ表示装置３，４，５，６（以下、カタログ表示装置３とする）とを備える。なお、カタログ表示装置３は、タッチデバイスや、携帯端末等であってよい。業者サーバ２及びカタログ表示装置３は、インターネットや専用回線等のネットワーク回線を介して接続される。また、業者サーバ２の外部に、カタログ表示プログラムを格納する外部ダウンロードサーバ７が設けられてもよい。
【００１７】
業者サーバ２は、カタログ表示プログラムを格納するダウンロードサーバ２１と、商品の購入に関するウェブページを作成するウェブサーバ２２とを有する。業者サーバ２は、カタログを提供又は商品を販売する業者により随時更新され、最新の情報をカタログ表示装置３に提供可能に構成されている。
【００１８】
図２に示すように、ダウンロードサーバ２１は、カタログ表示プログラムを格納するソフトウェア格納部７１と、カタログ表示装置３からのカタログ表示プログラムの送信の要求に応じて、ソフトウェア格納部７１からカタログ表示プログラムを読み出した上でカタログ表示装置３に送信する送受信部７２とを有する。
【００１９】
ソフトウェア格納部７１は、ハードディスクやＳＳＤ等の記憶媒体であり、エクステリア及びインテリアに係る商品の詳細であるカタログ商品データを有する。また、ソフトウェア格納部７１は、カタログ表示装置３を機能させてカタログ商品データを表示させるカタログ表示プログラムを有する。
【００２０】
送受信部７２は、カタログ表示装置３からの要求に応じて、ソフトウェア格納部７１から、カタログ商品データ及びカタログ表示プログラムを読み出す。送受信部７２は、読み出したカタログ商品データ及びカタログ表示プログラムを、要求を送信したカタログ表示装置３に送信する。送受信部７２は、無線装置や、ＬＡＮポート等のネットワーク装置を含んで構成される。
【００２１】
ウェブサーバ２２は、ソフトウェア格納部７１に格納されているカタログ商品データよりも複数種類の商品のデータを詳細商品データとして格納する家具データ格納部２２１と、家具データ格納部３２５に格納された詳細商品データを取得するデータ取得部２２２と、データ取得部２２２により取得された詳細商品データを利用してウェブページを作成するウェブページ作成部２２３と、カタログ表示装置３からウェブページ作成の要求を受け付けるとともに、作成されたウェブページ作成を要求したカタログ表示装置３に送信する送受信部２２４とを有する。
【００２２】
家具データ格納部２２１は、例えば、ハードディスクやＳＳＤ等の記憶媒体であり、ソフトウェア格納部７１に格納されたインテリアに係る商品について、より複数種類の商品のデータを格納する。具体的に、家具データ格納部２２１は、ソフトウェア格納部７１に格納されたインテリアに係る商品について、色合いの違いや、模様の違う商品のデータをも含めて格納する。
【００２３】
データ取得部２２２は、カタログ表示装置３からの要求に基づいて、家具データ格納部２２１から商品データを取得する。具体的に、データ取得部２２２は、カタログ表示装置３から要求された情報を利用して、要求された情報に合致する詳細商品データを家具データ格納部２２１から取得する。例えば、データ取得部２２２は、カタログ表示装置３から、カーテン、青、格子状という条件を受け取ると、家具データ格納部２２１から、カーテン、青、格子状という条件に合致する全ての詳細商品データを取得する。また、データ取得部２２２は、カタログ商品データ毎に付されているＩＤ番号をカタログ表示装置３から取得して、ＩＤ番号に合致する詳細商品データと該商品に類似する詳細商品データとを取得してもよい。このとき、家具データ格納部３２５は、詳細商品データ毎にＩＤ番号を付して格納してもよい。また、家具データ格納部２２１は、各ＩＤ番号に該当する詳細商品データに類似する詳細商品データのＩＤ番号をテーブルとして格納していても良い。
【００２４】
ウェブページ作成部２２３は、データ取得部２２２により取得された詳細商品データを利用して、ウェブページを作成する。送受信部２２４は、作成したウェブページをカタログ表示装置３に送信する。
【００２５】
カタログ表示装置３は、ダウンロードサーバ２１及びウェブサーバ２２とネットワークを介してデータの送受信をする送受信部３１と、ダウンロードサーバ２１から取得したカタログ表示データ及びカタログ表示プログラムを格納するカタログ格納部３２と、カタログ格納部３２に格納されたカタログ表示プログラムを実行するプログラム実行部３３と、カタログ表示データを表示可能な表示部３４と、ユーザからの入力を受け付ける入力部３５と、入力部３５で受け付けたユーザの入力内容から、表示部３４上における入力座標と入力動作の内容とを判断する入力内容判断部３６と、入力内容判断部３６で判断された入力座標に表示されたカタログ表示データを、ユーザによって選択された選択対象物と判断するとともに、選択対象物の選択に対応する表示部３４への表示部３４への表示内容を決定する選択対象物判断部３７と、入力内容判断部３６で判断された入力動作の内容と選択対象物判断部３７で決定された表示内容とに従って、表示部３４に表示されるカタログ表示データの内容を変更する表示変更部３８とを備える。
【００２６】
送受信部３１は、無線装置やＬＡＮポート等のネットワーク装置を含んで構成される。送受信部３１は、ダウンロードサーバ２１に対して、カタログ表示データ及びカタログ表示プログラムのダウンロード要求を送信すると共に、ダウンロードサーバ２１から送信されたカタログ表示データおよびカタログ表示プログラムを受信する。送受信部３１は、受信したカタログ表示データ及びカタログ表示プログラムをカタログ格納部３２に送る。
【００２７】
また、送受信部３１は、ウェブブラウザ等を利用して、入力部３５から入力された詳細商品データを要求する情報をウェブサーバ２２に送信する。送受信部３１は、ウェブサーバ２２から取得した詳細商品データを含むウェブページを受信する。
【００２８】
カタログ格納部３２は、カタログ表示プログラムを格納する表示プログラム格納部３２１と、カタログ表示データの表示部３４への表示座標を格納する表示座標格納部３２２と、カタログ表示データのうちのボタンデータを格納するボタンデータ格納部３２３と、カタログ表示データのうちの建物データを格納する建物データ格納部３２４と、カタログ表示データのうちの家具データを格納する家具データ格納部３２５とを有する。カタログ格納部３２は、ハードディスクやＳＳＤ等の記憶媒体である。
【００２９】
表示プログラム格納部３２１は、送受信部３１により受信されたカタログ表示プログラムを格納する。表示プログラム格納部３２１は、プログラム実行部３３からの読出し要求により読出し可能に構成されている。
【００３０】
表示座標格納部３２２は、表示部３４において表示されているカタログ表示データのそれぞれについて、表示部３４上において表示されている座標を座標データとして格納する。例えば、表示座標格納部３２２は、カタログ表示データとして表示部３４に表示されている表示部３４上での建物の床の座標や、表示部３４上での家具の座標を座標データとして格納する。
【００３１】
ボタンデータ格納部３２３は、表示部３４に表示するボタンデータの画像データと、画像データに紐付けされた機能データとを格納する。例えば、図３（ａ）に示すように、ボタンデータ格納部３２３は、ボタンデータのそれぞれについて、表示されるシーン及び画像データを格納する。
【００３２】
建物データ格納部３２４は、複数の建物毎に、表示部３４に表示する建物データの画像データを格納する。例えば、図３（ｂ）に示すように、建物データ格納部３２４は、複数の建物データ毎に、壁材、屋根及び屋内に利用されるオブジェクトの画像データを格納する。
【００３３】
家具データ格納部３２５は、インテリアとして屋内に配置される複数の家具の一覧と、それぞれの家具に対応する画像データとを格納する。例えば、家具データ格納部３２５は、図４（ａ）及び図４（ｂ）に示すように、色に対応した各カーテン素材の画像データや、複数のカーテン毎に表示される画像データを格納する。
【００３４】
表示座標格納部３２２は、表示部３４上に表示されているカタログ商品データの表示部３４上における座標を格納する。例えば、図４（ｃ）に示すように、表示座標格納部３２２は、表示部３４上に表示されている建物データや家具データ毎に、表示位置としての座標及び表示サイズを格納している。
【００３５】
プログラム実行部３３は、ＣＰＵが機能することにより、ダウンロードサーバ２１からダウンロードされ、表示プログラム格納部３２１に格納されたカタログ表示プログラムを実行する。また、プログラム実行部３３は、入力部３５によって入力された条件に基づいて、ウェブサーバ２２から該条件に合致する詳細商品データを取得するように機能する。プログラム実行部３３は、カタログ表示プログラムを実行することで、カタログ表示装置３を、入力内容判断部３６、選択対象物判断部３７及び表示変更部３８として機能させる。例えば、プログラム実行部３３は、カタログ表示プログラムを実行することで、カタログ表示装置３の表示部３４に、ボタンデータ格納部３２３、建物データ格納部３２４及び家具データ格納部３２５から読み出したカタログ表示データを表示させる。
【００３６】
表示部３４は、ディスプレイ等の表示デバイスであり、カタログ表示データを表示可能に構成されている。入力部３５は、マウス、キーボード及びポインティングデバイス等の入力デバイスであり、ユーザからの入力を受け付ける。なお、入力部３５は、タッチパネルで構成され、表示部３４へのユーザの入力を受け付けるデバイスであると好ましい。入力部３５は、ユーザから入力された入力内容を入力内容判断部３６に送る。
【００３７】
入力内容判断部３６は、入力部３５に入力されたユーザの入力内容を判断する。入力内容判断部３６は、ユーザにより入力された入力内容のうち、表示部３４上における入力座標を判断する入力座標判断部３６１と、ユーザにより入力された入力内容のうち、入力動作の内容を判断する入力動作判断部３６２とを有する。
【００３８】
入力座標判断部３６１は、ユーザにより入力された表示部３４上における座標を判断する。例えば、入力座標判断部３６１は、入力部３５により入力されたマウスカーソルの位置を、入力座標と判断する。また例えば、入力座標判断部３６１は、ユーザによりタッチされた表示部３４上の座標を入力座標と判断する。入力座標判断部３６１は、判断した入力座標を選択対象物判断部３７に送る。
【００３９】
入力動作判断部３６２は、ユーザにより入力された入力動作の内容を判断する。例えば、入力動作判断部３６２は、入力部３５への入力内容に応じて、ユーザにより入力された入力動作をクリック（タップ）と判断する。また例えば、入力動作判断部３６２は、入力部３５への入力内容に応じて、ユーザにより入力された入力動作をドラッグと判断する。入力動作判断部３６２は、判断した入力動作の内容を表示変更部３８に送る。
【００４０】
選択対象物判断部３７は、入力座標判断部３６１により判断された入力座標に応じて、いずれの表示データが選択されたのかを判断する。具体的に、選択対象物判断部３７は、表示座標格納部３２２に格納されているカタログ表示データの表示座標を読み出して、入力座標判断部３６１で判断された入力座標に合致するカタログ表示データを選択対象物と判断する。
【００４１】
また、選択対象物判断部３７は、入力動作判断部３６２で判断された動作内容に応じて、表示するカタログ表示データを決定する。例えば、選択対象物判断部３７は、クリック（タップ）による入力である場合、選択対象物の詳細をウィンドウ表示するように決定する。また例えば、選択対象物判断部３７は、ドラッグによる入力である場合、選択された選択対象物をドラッグ先へと移動させるように決定する。選択対象物判断部３７は、選択対象物と判断したカタログ表示データの情報と、決定された表示するカタログ表示データの情報とを表示変更部３８へ送る。
【００４２】
表示変更部３８は、選択対象物に係るカタログ表示データについて、入力動作判断部３６２により判断された動作に対応する表示の可否を判断する表示可否判断部３８１と、表示可否判断部３８１の判断に基づいて、選択対象物に係るカタログ表示データの表示変更を実行する表示変更実行部３８２とを有する。
【００４３】
表示可否判断部３８１は、入力動作判断部３６２から、判断した入力動作の内容を受け取る。また、表示可否判断部３８１は、選択対象物判断部３７から、選択対象物と判断されたカタログ表示データの情報と、決定された表示するカタログ表示データの情報とを受信する。表示可否判断部３８１は、入力動作の内容に応じた選択対象物の表示の可否を判断する。例えば、表示可否判断部３８１は、入力動作の内容を窓の座標から床の座標へのドラッグと受信し、選択対象物をカーテンと受信したとき、選択対象物の表示を不可と判断する。また例えば、表示可否判断部３８１は、入力動作の内容を床の座標から床の座標へのドラッグと受信し、選択対象物をソファと受信したとき、選択対象物の表示（移動）を可能と判断する。なお、表示可否判断部３８１は、表示先に既に他の家具データが存在するときに、存在する家具データと表示する家具データとの関係性を確認することで、表示可否を判断してもよい。表示可否判断部３８１は、判断した結果を表示変更実行部３８２に送る。
【００４４】
表示変更実行部３８２は、表示可否判断部３８１で判断された結果を受信する。また、表示変更実行部３８２は、入力動作判断部３６２で判断された入力内容と、選択対象判断部で判断された選択対象物とを受信する。表示変更実行部３８２は、表示可否判断部３８１で判断された結果と、入力動作判断部３６２で判断された入力内容と、選択対象判断部で判断された選択対象物とから、ボタンデータ格納部３２３、建物データ格納部３２４及び家具データ格納部３２５から適切なデータを読み出して、所定の位置に選択対象物を表示する。なお、表示変更実行部３８２は、選択対象物の移動に係る入力内容については、選択対象物をボタンデータ格納部３２３、建物データ格納部３２４又は家具データ格納部３２５から読み出さずにメモリ等の揮発性記憶装置に格納されている選択対象物の表示座標を変更することで表示部３４上の表示位置を変更してもよい。
【００４５】
本実施形態に係るカタログ表示装置３、カタログ表示方法、カタログ表示プログラム及びカタログ表示システム１の構成については以上の通りであり、次に、本実施形態に係るカタログ表示装置３、カタログ表示方法、カタログ表示プログラム及びカタログ表示システム１の作用について、図５乃至１２を利用して説明する。
【００４６】
まず、カタログ表示装置３は、ダウンロードサーバ２１からカタログ表示データ及びカタログ表示プログラムを取得する。送受信部３１は、カタログ表示データをボタンデータ格納部３２３、建物データ格納部３２４及び家具データ格納部３２５に格納する。また、送受信部３１は、カタログ表示プログラムを表示プログラム格納部３２１に格納する。
【００４７】
プログラム実行部３３は、入力部３５からのプログラム実行入力に従って、表示プログラム格納部３２１からカタログ表示プログラムを読み出して実行する。プログラム実行部３３は、カタログ表示プログラムの実行により、図６に示すように、ホームセレクト画面（建物データ選択画面）を表示部３４に表示させる。
【００４８】
図５に示すように、入力部３５は、表示部３４に表示された建物データの選択入力をユーザから受け付ける（ステップＳ１）。入力座標判断部３６１は、入力部３５が受け付けたユーザの選択入力の入力座標を判断する。入力動作判断部３６２は、選択する入力動作、具体的には、入力部３５へのクリック入力又はドラッグ（タップ）入力を判断する。表示変更部３８は、建物データを表示部３４に表示する。
【００４９】
その後、入力部３５は、表示されたボタンデータへの入力を受け付ける。入力座標判断部３６１は、入力部３５にボタンデータの座標への入力と判断すると、選択対象物判断部３７は、エクステリアの変更であると判断する（ステップＳ２  ＹＥＳ）。表示変更部３８は、図７に示すように、ボタンデータ格納部３２３から、エクステリアに係るボタンデータを読み出して、表示部３４に表示する。
【００５０】
入力部３５は、表示されたボタンデータへの選択入力を受け付ける。入力座標判断部３６１は、入力座標を判断し、選択対象物判断部３７は、入力座標に応じて選択されたボタンデータを判断する。表示変更実行部３８２は、選択されたボタンデータに応じて、エクステリアを変更して表示部３４に表示させる（ステップＳ３）。
【００５１】
入力部３５は、建物データへの選択入力を受け付ける。入力座標判断部３６１は、入力座標を判断し、選択対象物判断部３７は、入力座標により建物データが選択されたと判断すると、表示変更実行部３８２は、図８に示すように、建物データの内部の間取り（ルームビュー）を表示部３４に表示させる（移行する）（ステップＳ４）。また、表示変更部３８は、ボタン格納部から建物データの間取り表示に合わせたボタンデータを読み出して表示部３４に表示させる。
【００５２】
入力部３５は、表示されたボタンデータへの選択入力を受け付ける。入力座標判断部３６１は、入力座標を判断し、選択対象物判断部３７は、入力座標に応じて選択されたボタンデータを判断する。
【００５３】
選択されたボタンデータがインテリアボタンである場合（ステップＳ５  ＹＥＳ）、選択対象物判断部３７は、表示変更部３８に対して、更なるボタンデータを表示させる。表示変更部３８は、図９に示すように、表示部３４に表示された家具データに応じて、ボタンデータ格納部３２３からボタンデータを読み出して表示する。入力部３５は、表示されたボタンデータへの選択入力を受け付ける。入力座標判断部３６１は、入力座標を判断し、選択対象物判断部３７は、入力座標に応じて選択されたボタンデータを判断する。表示変更部３８は、表示されたボタンデータへの入力に応じて、図１０に示すように、インテリアを変更する（ステップＳ６）。
【００５４】
選択されたボタンデータが移動ボタンである場合、選択対象物判断部３７は、表示変更部３８に対して、更なるボタンデータを表示させる。表示変更部３８は、図１１に示すように、表示部３４上に部屋移動のボタンデータをボタンデータ格納部３２３から読み出して表示する。部屋移動のボタンデータが選択入力されると、表示変更実行部３８２は、他の部屋の間取り表示を建物データ格納部３２４から読み出して、表示部３４に表示させる。
【００５５】
選択されたボタンデータがビューボタンである場合、表示変更部３８は、図１２に示すように、建物データ格納部３２４から上方視点となる建物データを読み出して、表示部３４に表示させる。
【００５６】
次に、入力部３５が商品詳細データを要求する入力をウェブページやメールツールを介して受け付けた場合、プログラム実行部３３は、商品詳細データを要求する情報をウェブサーバ２２に送信する。送受信部２２４が詳細商品データを要求する情報を受け付けると、データ取得部２２２は、家具データ格納部３２５から詳細商品データに関する情報を読み出して、ウェブページ作成部２２３に送る。ウェブページ作成部２２３は、詳細商品データに係る情報を含むウェブページを作成してカタログ表示装置３に送る。
【００５７】
表示変更実行部３８２は、受信したウェブページを表示部３４に表示させる。
【００５８】
以上より、本実施形態に係るカタログ表示装置３は、インテリア商品に係るカタログ表示データとカタログ表示データを表示させるカタログ表示プログラムとを格納するダウンロードサーバ２１にネットワークを介して接続され、カタログ表示データを表示可能なカタログ表示装置３であって、ダウンロードサーバ２１から取得したカタログ表示データ及びカタログ表示プログラムを格納するカタログ格納部３２と、カタログ表示データを表示可能な表示部３４と、ユーザからの入力を受け付ける入力部３５と、入力部３５で受け付けたユーザの入力内容から、表示部３４上における入力座標と入力動作の内容とを判断する入力内容判断部３６と、入力内容判断部３６で判断された入力座標に表示されたカタログ表示データを、ユーザによって選択された選択対象物と判断するとともに、選択対象物の選択に対応する表示部３４への表示内容を決定する選択対象物判断部３７と、入力内容判断部３６で判断された入力動作の内容と選択対象物判断部３７で決定された表示内容とに従って、表示部３４に表示されるカタログ表示データの内容を変更する表示データ変更部とを備える。
【００５９】
また、本実施形態に係るカタログ表示方法は、インテリア商品に係るカタログ表示データ及びカタログ表示データを表示させるカタログ表示プログラムとを格納するダウンロードサーバ２１にネットワークを介して接続されるカタログ表示装置３に、カタログ表示データを表示可能なカタログ表示方法であって、ダウンロードサーバ２１から取得したカタログ表示データ及びカタログ表示プログラムを格納するステップと、カタログ表示データを表示するステップと、ユーザからの入力を受け付けるステップと、入力を受け付けるステップで受け付けたユーザの入力内容から、入力座標と入力動作の内容とを判断するステップと、判断された入力座標に表示されたカタログ表示データを、ユーザによって選択された選択対象物と判断するとともに、選択対象物の選択に対応する表示部３４への表示内容を決定するステップと、判断された入力動作の内容と決定された表示内容とに従って、表示されるカタログ表示データの内容を変更する表示データ変更部とを備える。
【００６０】
また、本実施形態に係るカタログ表示プログラムは、ダウンロードサーバ２１からネットワークを介してコンピュータにダウンロードされ、インテリア商品に係るカタログ表示データを表示可能なカタログ表示プログラムであって、コンピュータを、カタログ表示データ及びカタログ表示プログラムを格納するカタログ格納部３２、カタログ表示データを表示可能な表示部３４、ユーザからの入力を受け付ける入力部３５、入力部３５で受け付けたユーザの入力内容から、表示部３４上における入力座標と入力動作の内容とを判断する入力内容判断部３６、入力内容判断部３６で判断された入力座標に表示されたカタログ表示データを、ユーザによって選択された選択対象物と判断するとともに、選択対象物の選択に対応する表示部３４への表示内容を決定する選択対象物判断部３７、入力内容判断部３６で判断された入力動作の内容と、選択対象物判断部３７で決定された表示内容とに従って、表示部３４に表示されるカタログ表示データの内容を変更する表示データ変更部として機能させる。
【００６１】
また、本実施形態に係るカタログ表示システム１は、商品に係るカタログ表示データ及びカタログ表示データを表示させるカタログ表示プログラムを格納するダウンロードサーバ２１と、上記のカタログ表示装置３とを備える。
【００６２】
これにより、クステリア及びインテリアを自由に組み合わせてカタログ表示可能であるとともに、インテリアを自由な位置に移動可能とすることができる。
【００６３】
また、本実施形態に係るカタログ表示装置３は、表示部３４に既に表示されている対象物の座標を格納する座標格納部をさらに備え、表示データ変更部は、座標格納部に格納された複数の対象物の座標から、表示されるカタログ表示データの内容を変更可能か否かを判断してもよい。これにより、変更が不可能であるカタログ表示データを変更することを防止できる。
【符号の説明】
【００６４】
１…カタログ表示システム、２…業者サーバ、３，４，５，６…カタログ表示装置、７…外部ダウンロードサーバ、２１…ダウンロードサーバ、２２…ウェブサーバ、３１…送受信部、３２…カタログ格納部、３３…プログラム実行部、３４…表示部、３５…入力部、３６…入力内容判断部、３７…選択対象物判断部、３８…表示変更部、７１…ソフトウェア格納部、７２…送受信部、２２１…家具データ格納部、２２２…データ取得部、２２３…ウェブページ作成部、２２４…送受信部、３２１…表示プログラム格納部、３２２…表示座標格納部、３２３…ボタンデータ格納部、３２４…建物データ格納部、３２５…家具データ格納部、３６１…入力座標判断部、３６２…入力動作判断部、３８１…表示可否判断部、３８２…表示変更実行部
【図１】
2014191500.tif 000003
【図２】
2014191500.tif 000004
【図３】
2014191500.tif 000005
【図４】
2014191500.tif 000006
【図５】
2014191500.tif 000007
【図６】
2014191500.tif 000008
【図７】
2014191500.tif 000009
【図８】
2014191500.tif 000010
【図９】
2014191500.tif 000011
【図１０】
2014191500.tif 000012
【図１１】
2014191500.tif 000013
【図１２】
2014191500.tif 000014